(57)【特許請求の範囲】
【請求項１】
基台部から上方に伸びて開口する有底筒状の容器本体内の底部に酸素系除菌漂白剤液等の液体を貯留させ、該液体にトイレ用ブラシを浸漬可能に形成したトイレ用ブラシ容器であって、前記容器本体の開口に、前記基台部から高さの低い開口縁と、高さの高い開口縁とを形成し、前記高さの高い開口縁に係合部を設け、前記トイレ用ブラシの枝部に設けた係合手段を前記係合部に係止させたとき、前記トイレ用ブラシが前記液体の液面から上方に間隙を存してとどまる位置で前記容器本体内に吊される一方で、前記トイレ用ブラシを前記底部の液体に浸浸させたとき、該トイレ用ブラシの前記柄部が前記高さの低い開口縁から上方に臨むように構成されたことを特徴とするトイレ用ブラシ容器。
【請求項２】
前記基台部から高さの低い開口縁と、前記基台部から高さの高い開口縁とは、互いに対向配置されると共に、側面視における前記開口が、前記高さの低い開口縁から前記高さの高い開口縁に向かって昇り勾配で傾斜する傾斜開口縁として形成されたことを特徴とする請求項１記載のトイレ用ブラシ容器。
【請求項３】
前記高さの低い開口縁と前記高さの高い開口縁とを結ぶ一方側の開口縁と、他方側の開口縁とは、互いに左右対称に外側へ膨出して彎曲し、かつ、容器本体の横断面積が、前記基台部から前記開口に向かうに応じて末広がり状に拡大するように形成されたことを特徴とする請求項１または２記載のトイレ用ブラシ容器。
【請求項４】
前記高さの低い開口縁と前記高さの高い開口縁との間の前後開口距離は、前記一方側の開口縁と前記他方側の開口縁との間の左右開口距離よりも大きく設定されたことを特徴とする請求項３に記載のトイレ用ブラシ容器。
【請求項５】
前記基台部は、少なくとも前記高さの低い開口縁の側に存する部分に、前記高さの高い開口縁とは反対方向である手前側へ出っ張る突出部を形成したことを特徴とする請求項１〜４のいずれか一項に記載のトイレ用ブラシ容器。
【請求項６】
前記基台部は、略円盤状に形成され、その外周縁が、容器本体から外側に延在していることを特徴とする請求項１〜４のいずれか一項に記載のトイレ用ブラシ容器。
【請求項７】
前記高さの低い開口縁が存する内周面を、前記容器本体の底部に向かうに応じて勾配を有するように傾斜させる一方で、前記高さの高い開口縁が存する内周面を、前記容器本体の底部に向かうに応じてほぼ鉛直に形成することを特徴とする請求項１〜６のいずれか一項に記載のトイレ用ブラシ容器。
【請求項８】
前記容器本体の底部近傍の内周面に、段差、目盛りライン、着色等の計量目安手段を設けたことを特徴とする請求項１〜７のいずれか一項に記載のトイレ用ブラシ容器。
【請求項９】
前記係合手段は、前記トイレ用ブラシの柄部に装着されることを特徴とする請求項１〜８のいずれか一項に記載のトイレ用ブラシ容器。
【請求項１０】
前記係合部は、前記高さの高い開口縁に形成される凹部であることを特徴とする請求項１〜９のいずれか一項に記載のトイレ用ブラシ容器。
【発明の詳細な説明】
【技術分野】
【０００１】
本発明は、トイレの便器の清掃に用いられるトイレ用ブラシ容器に関する。
【背景技術】
【０００２】
従来、トイレの便器の清掃に使用されるトイレブラシ収納容器としては、特許文献１に記載の技術がある。この特許文献１に記載のトイレブラシ収納容器は、大小２個のトイレブラシを容器底部から浮かせて吊し、トイレブラシを水切り状態に収納保持する構造のものである。これにより、清掃個所に応じて大小のトイレブラシを使い分け、使用後はブラシを水切り状態にして収納容器に収納する。また、特許文献２に記載のトイレ用ブラシケースは、本体部に蓋体を枢着部で開閉可能に設け、ブラシを使用しない場合には、ブラシの柄とブラシケースとの間に設けたストッパ手段により、蓋体を本体部に閉じることでブラシを水切り状態に吊して収納する。係る構造により、トイレの清掃を終えた後、ブラシを底部から浮かすように吊して収納する。さらに、特許文献３に記載のトイレ掃除用具は、塵取り兼用ブラシ収納体にブラシ収納体を着脱可能な分離構造に形成し、両収納体を合体させることで、ブラシが両収納体に挟まれて収納する。係る構造により、ブラシの収納時には、ブラシはトイレ掃除用具の底部から浮かされた状態で吊り下げられる。このように、特許文献１〜特許文献３に記載の技術は、トイレ清掃後におけるトイレブラシを収納容器やブラシケース等に水切り状態、すなわち乾燥可能な状態にして収納できるようにしている。
【特許文献１】特開２０００−８３７３７号公報
【特許文献２】実用新案登録第３０１２１７３号公報
【特許文献３】特開２０００−１８３号公報
【発明の開示】
【発明が解決しようとする課題】
【０００３】
しかしながら、上記の特許文献１〜特許文献３に記載の技術にあっては、ブラシケースに、消毒液や洗剤液等の液体を貯留しない構成のものである。このため、便器を掃除（清掃）する場合に、収納容器内で乾燥したトイレ用ブラシを一旦、収納容器内の液体で浸け置きして消毒ないしは殺菌処理してから清掃することができない。また、便器を掃除した後に、トイレ用ブラシを消毒ないしは殺菌洗浄してから収納するという動作を行うこともできない。その結果、トイレ用ブラシの衛生確保が困難になる問題を生じる。
【０００４】
本発明は、上記技術的課題に着目してなされたものであり、トイレの便器の清掃に際して使用されるトイレ用ブラシの衛生が確実に確保できるトイレ用ブラシ容器を提供することを目的とする。
【課題を解決するための手段】
【０００５】
（１）上記の目的を達成するために、本発明は、基台部から上方に伸びて開口する有底筒状の容器本体内の底部に酸素系除菌漂白剤液等の液体を貯留させ、該液体にトイレ用ブラシを浸漬可能に形成したトイレ用ブラシ容器であって、前記容器本体の開口に、前記基台部から高さの低い開口縁と、高さの高い開口縁とを形成し、前記高さの高い開口縁に係合部を設け、前記トイレ用ブラシの枝部に設けた係合手段を前記係合部に係止させたとき、前記トイレ用ブラシが前記液体の液面から上方に間隙を存してとどまる位置で前記容器本体内に吊される一方で、前記トイレ用ブラシを前記底部の液体に浸浸させたとき、該トイレ用ブラシの前記柄部が前記高さの低い開口縁から上方に臨むように構成されたことを特徴とするトイレ用ブラシ容器である。
【０００６】
係る構成によれば、基台部から高さの高い開口縁に設けた係合部に、トイレ用ブラシの柄部、または、係合部に設けた係合手段を介してトイレ用ブラシを引っ掛けることで、トイレ用ブラシを液体に浸浸させることない。これにより、トイレ用ブラシ容器は乾燥状態でトイレ用ブラシ容器に収納できるので、トイレ用ブラシをそのまま取り出して使用する場合でも、床面にトイレ用ブラシから無用の液体を落として濡らすことはない。また、基台部から高さの低い開口縁にもたれ掛けさせてトイレ用ブラシを底部に浸け置きした場合には、トイレ用ブラシの柄部上方の一部が上記低い開口縁から臨む状態となるので、トイレ用ブラシの柄部を把持し、容器本体内で液体切りをしてから、消毒されたトイレ用ブラシですぐさまトイレの便器をスムーズに清掃でき、衛生的にトイレ用ブラシを使用できる。
【０００７】
（２）本発明はまた、前記基台部から高さの低い開口縁と、前記基台部から高さの高い開口縁とは、互いに対向配置されると共に、側面視における前記開口が、前記高さの低い開口縁から前記高さの高い開口縁に向かって昇り勾配で傾斜する傾斜開口縁として形成されたことを特徴とする前記（１）記載のトイレ用ブラシ容器である。
【０００８】
係る構成によれば、容器本体の開口が手前（高さの低い開口縁側）から後方（高さの高い開口縁側）へ昇り勾配の傾斜開口縁として形成されるので、トイレ用ブラシ容器を高さの低い開口縁を手前側に位置するように設置することにより、トイレ用ブラシの出し入れを手前側の低い開口縁から円滑に行え、トイレの清掃作業を効率的に行うことができる。
【０００９】
（３）本発明はまた、前記高さの低い開口縁と前記高さの高い開口縁とを結ぶ一方側の開口縁と、他方側の開口縁とは、互いに左右対称に外側へ膨出して彎曲し、かつ、容器本体の横断面積が、前記基台部から前記開口に向かうに応じて末広がり状に拡大するように形成されたことを特徴とする前記（１）〜（２）記載のトイレ用ブラシ容器である。
【００１０】
係る構成によれば、容器本体の開口縁は外側へ湾曲して膨出するので、トイレ用ブラシの出し入れを円滑に行える。また、容器本体の底部は、開口縁に比較してその横断面積が絞られるので、そこに貯留される液体の量を最小限にすることが可能となると共に、液体の蒸発量は低減するので、液体消費量を節約できるようになる。
【００１１】
（４）本発明はまた、前記高さの低い開口縁と前記高さの高い開口縁との間の前後開口距離は、前記一方側の開口縁と前記他方側の開口縁との間の左右開口距離よりも大きく設定されたことを特徴とする前記（３）に記載のトイレ用ブラシ容器である。
【００１２】
係る構成によれば、左右（横幅）方向の開口距離は前後開口距離よりも小さく設定されるので、液体に漬け置きしたトイレ用ブラシを容器本体内で液切れを行う場合に、左右（横幅）方向よりも前後方向、すなわち、前方縁内周面を手前に振って液体切りするのをし易くする。これにより、トイレ用ブラシの液体切り動作を円滑に行うことが可能となる。
【００１３】
（５）本発明はまた、前記基台部は、少なくとも前記高さの低い開口縁の側に存する部分に、前記高さの高い開口縁とは反対方向である手前側へ出っ張る突出部を形成したことを特徴とする前記（１）〜（４）のいずれかに記載のトイレ用ブラシ容器である。
【００１４】
係る構成によれば、液体に漬け置きしたトイレ用ブラシを高さの低い開口縁の内周面を手前に振って液体切りするとき、トイレ用ブラシ容器の足部となる基台部に突出部を形成しているので、トイレ用ブラシ容器はふらついたりして倒れることがなく、安定した状態を維持できる。
【００１５】
（６）本発明はまた、前記基台部は、略円盤状に形成され、その外周縁が、容器本体から外側に延在していることを特徴とする前記（１）〜（４）のいずれかに記載のトイレ用ブラシ容器である。
【００１６】
係る構成によれば、容器本体の基台部を略円盤状に形成し、かつ、その外周縁が容器本体から外側に延在しているので、基台部の床面に対する接地面積が広くなり、トイレ用ブラシ容器はより一層安定的にトイレ等に設置できる。このため、浸け置きしたトイレ用ブラシの液体切れ動作は、トイレ用ブラシ容器が倒れにくくした状態で効率的に行うことができるようになる。
【００１７】
（７）本発明はまた、前記高さの低い開口縁が存する内周面を、前記容器本体の底部に向かうに応じて勾配を有するように傾斜させる一方で、前記高さの高い開口縁が存する内周面を、前記容器本体の底部に向かうに応じてほぼ鉛直に形成することを特徴とする前記（１）〜（６）のいずれかに記載のトイレ用ブラシ容器である。
【００１８】
係る構成によれば、トイレ用ブラシを前方縁の内周面を手前に軽くたたいて振る動作を行って液体切りを行う場合、該内周面が下り勾配に傾斜しているので、係る振り切り動作を効率的に行える。また、高さの高い開口縁はほぼ鉛直方向に形成されるので、トイレ用ブラシの乾燥に都合が良い。
【００１９】
（８）本発明はまた、前記容器本体の底部近傍の内周面に、段差、目盛りライン、着色等の計量目安手段を設けたことを特徴とする前記（１）〜（７）のいずれかに記載のトイレ用ブラシ容器である。
【００２０】
係る構成によれば、計量目安手段を底部近傍に設けることで、トイレ用ブラシ容器の奥深い底部における液体の多少を容易に目視でき、その結果、液体を注入する動作が計量目安部を目視しながら容易かつ的確に行える。
【００２１】
（９）本発明はまた、前記係合手段は、前記トイレ用ブラシの柄部に装着されることを特徴とする前記（１）〜（８）のいずれかに記載のトイレ用ブラシ容器である。
【００２２】
係る構成によれば、係合手段をトイレ用ブラシの柄部に装着するので、市販されているトイレ用ブラシであれば、どのようなトイレ用ブラシにも対応して係合手段を取り付けることで、トイレ用ブラシ容器に使用することが可能となる。
【００２３】
（１０）本発明はまた、前記係合部は、前記高さの高い開口縁に形成される凹部であることを特徴とする前記（１）〜（９）のいずれかに記載のトイレ用ブラシ容器である。
【発明の効果】
【００２４】
本発明によれば、トイレ用ブラシを、酸素系除菌漂白剤液等の液体に浸浸した状態と、乾燥する状態とに選択して収納でき、浸浸した状態でもトイレ用ブラシの柄部の一部を容器本体から突出するので把持し易く、また、容器本体の底部の横断面を絞っているので、そこに貯留する液体量を最小量にすることができ、さらに、容器本体を基台部により安定的に支持するので、トイレ用ブラシ容器内面にトイレ用ブラシをたたいて液体を切る動作を効率的に行え、トイレ用ブラシ容器が倒れにくく、清潔で衛生的なトイレ用ブラシ容器を実現できる。
【発明を実施するための最良の形態】
【００２５】
以下、本発明を実施するための最良の形態を、図を参照して詳述する。
【００２６】
図１は実施形態におけるトイレ用ブラシ容器の３面図で、（ａ）は正面図、（ｂ）は背面図、（ｃ）は側面図、図２はトイレ用ブラシ容器を開口にほぼ直交する方向からみた外観図、図３はトイレ用ブラシに係り、（ａ）は外観側面図、（ｂ）は係合手段を拡大して示した外観図、（ｃ）は（ａ）のＣ−Ｃ線における拡大断面図である。以下において、「前」方向とは図２に示すトイレ用ブラシ容器１の水平軸線Ｌの矢印Ａ方向を、「後」方向とは矢印Ｂ方向を、また、「左右」方向とは水平軸線Ｌに直交する方向を指すものとする。
【００２７】
実施形態に係るトイレ用ブラシ容器１は、合成樹脂材を素材として成形され、ブーツに近似した外形形態を有する。具体的には、基台部２から上方に伸びて開口する有底筒状の容器本体３内の底部４に酸素系除菌漂白剤液等の液体５（以下、場合により「液体」ともいう）が貯留され、酸素系除菌漂白剤液５にトイレ用ブラシ（以下、「ブラシ」という）６を浸漬することでブラシ６を消毒あるいは殺菌するようになっている。
【００２８】
なお、上記酸素系除菌漂白剤液５としては、自然環境に優しい酸素系除菌漂白剤を使用することが好ましい。トイレに係る酸素系除菌漂白剤を使用することにより、塩素系洗剤を使う場合に比べて有害物質を揮発することがなく、人にも地球にも優しくできるからである。
【００２９】
容器本体３の横断面は円形状を基本形態とするが、勿論円形状に近似するその他の形状であってもよく、特に限定されるものではない。
【００３０】
容器本体３の開口には、基台部２からの高さが低い開口縁（以下、「前方開口縁」という）７と、高さの高い開口縁（以下、「後方開口縁」という）８とが形成され、後方開口縁８にブラシ６を吊り下げるための凹部８ａが設けられる。凹部８ａは、図１（ａ）に示されるように、横幅Ｗ２，深さＨ１の寸法を有する形状に形成される。ブラシ６の後述する係合手段１４を係合できるのであれば、その形状は特に限定されない。
【００３１】
前方開口縁７と後方開口縁８とは、互いに前後方向で対向配置され、図１（ｃ）に示すように、側面視において開口は、前方開口縁７から後方開口縁８に向かって昇り勾配で傾斜する傾斜開口縁９として形成される。
【００３２】
図２に示されるように、前方開口縁７と後方開口縁８とを結ぶ一方側の開口縁１０と、他方側の開口縁１１とは、水平軸線Ｌに関して互いに左右対称に外側へ膨出して彎曲している。また、容器本体３の横断面積は、図１に示すように基台部２から上方、すなわち、開口に向かうに応じて末広がり状に拡大する形状に形成される。
【００３３】
図２において、前方開口縁７と後方開口縁８との間における前後開口距離Ｄは、上記傾斜開口縁９を成す一方側の開口縁１０と他方側の開口縁１１との間における左右開口距離Ｗ１よりも大きく設定されている。こうして、トイレ用ブラシ容器１の開口は、前後方向に長細く、ほぼ楕円形状を呈する形状の開口縁を有することとなる。
【００３４】
後方開口縁８における容器本体３は、図１（ｂ）のように二本の平行な稜線１２が上下方向に形成され、これに応じて容器本体３の内周面にも、二本の稜線が形成される。
【００３５】
前方開口縁７が存する容器本体３、すなわち、その内周面は容器本体３が底部４に向かうに応じて下り勾配を有するように傾斜して基台部２に連続する。一方、後方開口縁８が存する内周面は、容器本体３が底部４に向かうに応じてほぼ鉛直方向に伸びて基台部２に連続する。
【００３６】
基台部２は、後方開口縁８とは反対の前方開口縁７の側、換言すると、手前側に足の甲に似た形状の突出部２ａが突出するように形成される。これにより、ブラシ６を前方開口縁７の内周面で前後方向にたたいて酸素系除菌漂白剤液５を切る動作を行っても、トイレ用ブラシ容器１が前方へ倒れにくくなるように形成される。
【００３７】
また、容器本体３の底部４近傍の内周面には図２に示すように、計量目安手段としての目盛りライン１３が設けられる。これにより、底部４に貯留される酸素系除菌漂白剤液５の適正量約５００ｍｌが目視により計量されて注ぐことができるようになっている。
【００３８】
こうして、トイレ用ブラシ容器１は、全体としてブーツ型の外形を呈し、容器本体３と基台部２との連続部は細くくびれている。すなわち、液体５が貯留される底部４は、トイレ用ブラシ容器１の横断面が最もくびれて小さくなる部分に形成される。
【００３９】
本実施形態におけるトイレ用ブラシ容器１の各寸法は、図１に示すように、上記の左右開口距離（横幅寸法）Ｗ１＝９，３ｃｍ、凹部８ａの横幅Ｗ２＝２，５ｃｍ、凹部８ａの深さ寸法Ｈ１＝１，５ｃｍ、凹部８ａまでのトイレ用ブラシ容器１の高さＨ２＝３６ｃｍ、トイレ用ブラシ容器１の全高Ｈ３＝３７，５ｃｍ、前方開口縁７までのトイレ用ブラシ容器１の高さＨ４＝２６ｃｍ、基台部２の横幅最大寸法Ｗ３＝１６ｃｍ、稜線１２の間隔Ｗ４＝４，５ｃｍ、前方開口縁７と後方開口縁８との内径Ｄ１＝１３ｃｍ、底部４の内径Ｄ２＝７ｃｍ、基台部２の前後長さＤ３＝２１ｃｍであるのが好ましいが、これに限定されないことは言うまでもなく、適宜の寸法に設定できるものである。
【００４０】
次に、図３において、トイレ用ブラシ容器１に併用されるブラシ６を説明する。ブラシ６は図３（ａ）に示すように、柄部６ａと、柄部６ａ先端に設けたブラシ部６ｂと、柄部６ａに取り付けられる係合手段としての係合キット１５とを備える。係合キッド１５は、例えば、図３（ｃ）〜（ｅ）および同図（ｆ）〜（ｈ）に示される寸法を有し、円筒状のベース部材１５ａと、このベース部材１５ａに被着されるフック１５ｂとでなる。ベース部材１５ａは、例えば透明のビニールで形成され、その内側面に離剥紙１５ｃを剥がすことにより接着剤を塗布した接着面が露呈するように形成されている。ベース部材１５ａを柄部６ａに取り付けるに際しては、ベース部材１５ａを縦方向のカットライン１５ｄに沿ってカットし、離剥紙１５ｃを剥がし、図３（ｅ）のように切り口を拡開させ、柄部６ａに巻付けるようにして接着する。これにより、図３（ｂ）のようにベース部材１５ａが柄部６ａに取り付けることができるようになっている。
【００４１】
なお、図３（ｂ）にの点線で示すように、接着テープ１６を用いてベース部材１５ａの上から貼り付けるのが好ましい。これによれば、ベース部材１５ａの柄部６ａに対する取り付け力を高めることができる。
【００４２】
一方、フック１５ｂは、図３（ｆ）〜（ｈ）に示すように、例えばプラスチック等で形成され、平坦面を有する基部１５ｅと、基部１５ｅの上方に突き出たフック部１５ｆとを備えている。基部１５ｅの裏面には、離剥紙１５ｇを剥がすことにより接着面が露呈するように形成されている。上記のベース部材１５ａへの取り付けに際しては、離剥紙１５ｇを剥がし、露呈する基部１５ｅの接着面をベース部材１５ａの表面に貼り付けることで、フック１５ｂはベース部材１５ａと一体化して柄部６ａに取り付けられる。すなわち、係合キッド１５は柄部６ａに一体化するように取り付けられる。こうして、図４，図５（ａ）のように、フック部１５ｆは凹部８ａに引っ掛けることで、ブラシ６を容器本体３内で吊すことができる。この場合に、ブラシ部６ｂは底部４に貯留された酸素系除菌漂白剤液５に漬からない位置にとどまるように形成される。
【００４３】
なお、ブラシ６は、図３に示される形態のものに限定されないことは勿論であり、市販される種々のブラシが適用可能である。
【００４４】
上記のように構成される本実施形態のトイレ用ブラシ容器１の使用を、図５に基づいて説明する。すなわち、トイレの便器を清掃し、通常通り軽くブラシの汚れを落とし、水切し終えたブラシ６を、底部４の酸素系除菌漂白剤液５に浸け消毒する。その後、ブラシ６のフック部１５ｆを図５（ａ）に示すように後方開口縁８の凹部８ａに掛ける。このような基本的な使用法により、ブラシ部６ｂは酸素系除菌漂白剤液５の液面から浮いた位置に吊され、乾燥されることとなる。勿論、係る基本的使用法の他に、ブラシ部６ｂを同図（ｂ）のように酸素系除菌漂白剤液５に浸け置きしたままの状態とすることもできる。便器を清掃する場合には、酸素系除菌漂白剤液５切りして乾燥状態にあるブラシ６の柄部６ａを把持してトイレ用ブラシ容器１から取り出して使用する。このため、ブラシ部６ｂから酸素系除菌漂白剤液５がしたたり落ちてトイレの床面を汚すことなくブラシ６を使用できる。
【００４５】
図５（ｂ）に示されるように、ブラシ６を前方開口縁７に立て掛けた状態にすると、ブラシ部６ｂは酸素系除菌漂白剤液５に浸け置きすることができる。これにより、ブラシ６の柄部６ａが前方開口縁７の上方に飛び出しているので、柄部６ａを把持する場合に、手がトイレ用ブラシ容器１に触れることなく把持できるので、不衛生となる心配はない。
【００４６】
また、ブラシ６が図５（ｂ）に示すように、酸素系除菌漂白剤液５に浸け置きされた状態にある場合には、ブラシ６を把持して持ち上げ、矢印Ｅに示す方向に前方開口縁７下方の容器本体３内周面を手前に軽く叩いて酸素系除菌漂白剤液５を切る動作を行う。この場合、基台部２に突出部２ａが形成されているので、基台部２は広い接地面積を有し、トイレ用ブラシ容器１は床面に対して前後方向に安定的に設置される。このため、ブラシ６を叩く動作を行っても、トイレ用ブラシ容器１がふらつき、あるいは手前側に倒れ難くなり、安定的に支持される。したがって、ブラシ部６ｂから酸素系除菌漂白剤液５が垂れない状態にしてから、清掃を行うことができ、衛生を確保することができる。
【００４７】
また、上記のトイレ用ブラシ容器１の使用をする場合には、ブラシ６を凹部８ａに引っ掛けた場合、および、ブラシ６を前方開口縁７に立て掛けた場合のいずれにおいても、ブラシ６を容器本体３から取り出すとき、前方開口縁７は高さが低く形成されているので、トイレ用ブラシの出し入れの動作を手前側の低い開口縁からスムーズに行え、トイレの清掃作業を効率的に行うことができる。
【００４８】
また、本実施形態では、図１に示す左右開口距離Ｗ１を、図２に示す前後開口距離Ｄよりも小さく設定しているので、ブラシ６の酸素系除菌漂白剤液切り動作は前後方向に行うようにし向けられる構成を有する。このため、トイレ用ブラシ容器１は左右方向に揺らされることは回避され、安定した姿勢を維持できる。
【００４９】
酸素系除菌漂白剤液５が消費されて少なくなった場合には、目盛りライン１３を目視しながら酸素系除菌漂白剤液５を目盛りライン１３に達するまで注入することで酸素系除菌漂白剤液５が補給される。
【００５０】
このように、本実施形態のトイレ用ブラシ容器１によれば、便器を終始清潔な状態に維持できる。もっとも、便器の奥深い部分の汚れや上縁の内側等を清掃する場合には、粉状クレンザーをブラシ部６ｂに付けるか便器内にふりかけてこすり洗いするだけで、便器を簡単且つきれいに清掃することができる。
【００５１】
本実施形態のトイレ用ブラシ容器１には、以下のような効果がある。すなわち、ブラシ６は後方開口縁８の凹部８ａに引っ掛けることで、容器本体３内に乾燥可能な状態で吊すことができ、吊したブラシ６をそのまま取り出して使用する場合には、床面に酸素系除菌漂白剤液５を落として濡らすことはない。このため、トイレ周りの衛生状態を良好な状態に保持できる。
【００５２】
また、酸素系除菌漂白剤液５に浸け置きした場合でも、容器本体３に手を触れることなくブラシ６の柄部６ａを把持でき、しかも、前方開口縁７近傍の容器本体３の内周面で酸素系除菌漂白剤液切りができ、消毒されたブラシ６ですぐさまトイレの便器をスムーズに清掃でき、衛生的なトイレ用ブラシ容器１を得ることができる。
【００５３】
底部４は、開口縁に比較してその横断面積がくびれるように絞られているので、そこに貯留される酸素系除菌漂白剤液５の量を最小限にでき、かつ、液体の蒸発量は最小に抑制されるので、酸素系除菌漂白剤液５を節約できる利点がある。
【００５４】
左右（横幅）方向の開口距離Ｗ１は前後開口距離Ｄよりも小さく設定されるので、液体に漬け置きしたブラシ６を容器本体３で液切れを行う場合に、左右（横幅）方向よりも前後方向に振って液切り動作するようにし向けられている。このため、トイレ用ブラシ容器１は手前側に倒れ難くすることができる。また、この場合、突出部２ａによりトイレ用ブラシ容器１の手前側へのふらつきを効率的に回避でき、トイレ用ブラシ容器１を安定した状態に維持できる。
【００５５】
また、ブラシ６を前方開口縁７の内周面を手前に軽くたたいて振る動作を行って酸素系除菌漂白剤液切りを行う場合、内周面が下り勾配に傾斜しているので、酸素系除菌漂白剤液５の振り切り動作を効率的に行える（図５（ｂ）参照）。また、後方開口縁８はほぼ鉛直方向に形成されるので、ブラシ６の乾燥を円滑に行える。
【００５６】
底部４に目盛りライン１３を設けたので、容易に酸素系除菌漂白剤液５の補給、注入を行うことができる。
【００５７】
また、ブラシ６の柄部６ａに装着される係合キット１５は、ベース部材１５ａを介してフック１５ｂを柄部６ａに簡単に取り付けることができる。市販されているトイレ用ブラシであれば、どのような態様のトイレ用ブラシにも係合キット１５を装着することが可能となる。したがって、係合キットをトイレ用ブラシ容器の付属品としてセットで販売できる利点がある。
【００５８】
以上、本発明を上記実施形態により詳述してきたが、具体的な構成はこれら実施形態に限られるものでなく、本発明の要旨を逸脱しない範囲の設計変更等があっても本発明の範囲に含まれるものである。
【００５９】
例えば、図６に示す変形例の構造とすることもできる。すなわち、上記実施形態では、後方開口縁８の存する容器本体３の外面は、基台部２に対してほぼ直立する状態、換言すると、接地する面に対して垂直に立つ形状に形成されたトイレ用ブラシ容器１について説明したが、この代わりに、図６（ａ）に示すように、容器本体３の中心軸線Ｌに対して前後均等、すなわち、前方開口縁７が存する傾斜と、後方開口縁８が存する傾斜とが前後対称に傾斜するように形成することも可能である。
【００６０】
また、図７に示す変形例としてもよい。この変形例が上記の実施形態と構成上相違する点は、上記実施形態では、基台部２に突出部２ａを設けたが、この変形例では、トイレ用ブラシ容器１の基台部２０をほぼ円盤状に形成し、そのほぼ中央に容器本体３を設けた構成においてのみ相違し、その他の構成については両者共に共通する。変形例のトイレ用ブラシ容器１は、基台部２０が円盤状に形成され、その外周縁が容器本体３の外周に延在するように構成されるので、基台部２０の床面に対する接地面積が拡がる。このため、トイレ用ブラシ容器１はどの方向に対しても倒れ難く、安定した姿勢で床面に設置できる。
【００６１】
また、上記実施形態の容器本体３は傾斜開口縁９を有する構造であったが、この代わりに、図８に示す変形例に係るトイレ用ブラシ容器１のように、基台部２０に植立する容器本体３０の開口を、基台部２０から同じ高さを有し、上記の後方開口縁８に相当する水平開口縁９０として形成し、これに上記凹部８ａに相当する凹部８０ａと、該凹部８０ａに対向する位置に前方開口縁７に相当する凹部７０を形成した態様とすることも可能である。
【００６２】
また、容器本体を、図９に示す構成とすることも可能である。すなわち、図９（ａ）のように、基台部２１の上に植立される容器本体３１を円筒状の筒部材で形成し、その水平開口縁８１に凹部８１ａと、この凹部８１ａよりも幅広で深さの大きな凹部７１を形成したトイレ用ブラシ容器１としてもよい。これにより、凹部８１ａにはブラシ６を引っ掛け、凹部７１にはブラシ６の柄部６ａを寄りかからせることができる。
【００６３】
この場合、凹部７１の代わりに、図９（ｂ）に示す容器本体３２のように、水平開口縁８２の一部を斜めにカットして形成される楕円曲線の一部を成す凹部７２を形成したトイレ用ブラシ容器１とすることも可能である。
【００６４】
上記係合キット１５の代わりに、図１０に示す係合キット１４であってもよい。すなわち、係合キット１４は、薄板状のベース部１４ａに例えば金属線を折曲げて形成したフック部１４ｂを植え込んで一体化される。ベース部１４ａの裏面は、離剥紙１４ｄを剥がすことにより接着面１４ｃが露呈する構造を有する。離剥紙１４ｄを剥がし、接着面１４ｃを柄部６ａに接着することで、係合キット１４を柄部６ａに簡単に取り付けることができる。
【００６５】
また、係合キット１４は金属線を用いてフック部１４ｂを形成したが、この代わりに、図１１に示す変形例の係合手段（係合キット）１４０とすることもできる。この係合手段１４０は、ベース部１４０ａの上方から鈎状に折れ曲がったフック部１４０ｂを合成樹脂材で一体成型することで製作されるもので、ベース部１４０ａの裏面に接着面１４０ｃを設け、その上に離剥紙１４０ｄを貼り付けた構成を有する。なお、各部位の寸法は、Ｍ１＝５ｃｍ、Ｍ２＝１，５ｃｍ、Ｍ３＝１，７ｃｍ、Ｍ４＝１ｃｍ、Ｍ５＝５ｍｍ、Ｍ６＝５ｍｍ、Ｍ７＝２，２ｃｍ、Ｍ８＝３ｍｍとするのが好ましいが、これに限定されるものではない。
【００６６】
係る変形例の係合手段１４０では、離剥紙１４０ｄを剥がして接着面１４０ｃをブラシ６の柄部６ａに貼り付けることにより、ブラシ６に簡単に装着することができる。
【００６７】
また、本実施形態では、容器本体３、３０に対して係合部となる凹部８ａ、８０ａを設け、この係合部と係合手段１４０を係合させるようにしているが、係合部の構造・形状は本発明はそれに限定されない。例えば、係合部として容器本体３、３０に凸部を形成し、これに係合手段１４，１４０を係合させてブラシ６を固定する態様とすることもできる。
また、計量目安手段として、底部４近傍に目盛りライン１３で構成したが、この代わりに、底部４近傍の内周面に段差を形成してもよく、あるいは、着色を付した構成とすることも可能である。段差や着色を計量の目安として酸素系除菌漂白剤液の補充を目視して簡単に行うことができる。
【００６８】
上記実施形態および変形例のトイレ用ブラシ容器１は、合成樹脂材で製作した場合を例に挙げて説明したが、セラミックス材、金属素材等で製作してもよい。
【００６９】
また、トイレ用ブラシ容器１の外表面に適宜のデザイン処理を施した図柄を付けてもよく、これによりトイレ用ブラシ容器の外観体裁を向上できる。
【産業上の利用可能性】
【００７０】
本発明は、トイレの便器を清掃する際に使用されるトイレ用ブラシ容器の製作、使用等に利用することができる。
【図面の簡単な説明】
【００７１】
【図１】本発明の実施形態におけるトイレ用ブラシ容器の３面図で、（ａ）は正面図、（ｂ）は背面図、（ｃ）は側面図である。
【図２】上記実施形態におけるトイレ用ブラシ容器を開口にほぼ直交する方向からみた外観図である。
【図３】上記実施形態におけるトイレ用ブラシと係合キットとに係り、（ａ）はトイレ用ブラシの外観図、（ｂ）は（ａ）のＧ部の部分拡大外観図、（ｃ）は係合キットのベース部材がカットされる前の状態を示す平面図、（ｄ）はその側面図、（ｅ）はベース部材をカットして切り口を開いた状態を示す外観図、（ｆ）はフックの正面図、（ｇ）はその側面図、（ｈ）は（ｆ）の背面図である。
【図４】上記実施形態に係り、トイレ用ブラシを凹部に吊した状態を上から見下ろした外観図である。
【図５】上記実施形態に係り、（ａ）はトイレ用ブラシを凹部に吊した使用状態を、（ｂ）はトイレ用ブラシの付け置きと、液切りとを説明する説明図である。
【図６】上記実施形態の変形例に係り、（ａ）はトイレ用ブラシを前方開口縁に引っ掛けた使用状態を、（ｂ）は該ブラシを液に浸けた状態を示す説明図である。
【図７】上記実施形態の別の変形例に係り、（ａ）は正面からみた外観図、（ｂ）は側面からみた外観図、（ｃ）は背面からみた外観図である。
【図８】トイレ用ブラシ容器のさらに別の変形例における外観図である。
【図９】トイレ用ブラシ容器のさらに別の変形例における外観図である。
【図１０】上記実施形態のさらに別の変形例におけるトイレ用ブラシ容器と係合キットと係り、（ａ）はトイレ用ブラシの外観図、（ｂ）は係合キットを拡大して示した外観図である。
【図１１】係合手段（係合キット）のさらに別の変形例に係り、（ａ）は正面図、（ｂ）は側面図である。
【符号の説明】
【００７２】
１  トイレ用ブラシ容器
２  基台部
３  容器本体
４  底部
５  液体（酸素系除菌漂白剤液）
６  ブラシ（トイレ用ブラシ）
６ａ  柄部
６ｂ  ブラシ部
７  前方開口縁
８  後方開口縁
８ａ  凹部
９  傾斜開口縁
１０  一方側の開口縁
１１  他方側の開口縁
１２  稜線
１３  目盛りライン
１４  係合手段
１４ａ  ベース部
１４ｂ  フック部
１４ｃ  接着面
１４ｄ  離剥紙
１５  係合キット（係合手段）
１５ａ  ベース部材
１５ｂ  フック
１５ｆ  フック部
２０  基台部
３０  容器本体
７０  凹部
８０ａ  凹部
８０  水平開口縁
１４０  係合手段
１４０ａ  ベース部
１４０ｂ  フック部
１４０ｃ  接着面
１４０ｄ  離剥紙
【要約】
【課題】トイレの便器の清掃に際して使用されるトイレ用ブラシの衛生が確実に確保できるトイレ用ブラシ容器を提供することを目的とする。
【解決手段】基台部２から上方に伸びて開口する有底筒状の容器本体３、３０内の底部４に酸素系除菌漂白剤液等の液体５を貯留させ、該液体５にトイレ用ブラシ６を浸漬可能に形成したトイレ用ブラシ容器１であって、容器本体３、３０の開口に、基台部２から高さの低い開口縁８と、高さの高い開口縁８、８０とを形成し、高さの高い開口縁８、８０に係合部８ａを設け、トイレ用ブラシ６を、枝部６ａに設けた係合手段１４、１４０を介して係合部８ａに係止させたとき、トイレ用ブラシ６が液体５の液面から上方に間隙を存してとどまる位置で容器本体３内に吊される一方で、トイレ用ブラシ６を底部４の液体５に浸浸させたとき、該トイレ用ブラシ６の柄部６ａが高さの低い開口縁７、７０から上方に臨むように構成する。
【選択図】図１【図１】
0004177444.tif 000002
【図２】
0004177444.tif 000003
【図３】
0004177444.tif 000004
【図４】
0004177444.tif 000005
【図５】
0004177444.tif 000006
【図６】
0004177444.tif 000007
【図７】
0004177444.tif 000008
【図８】
0004177444.tif 000009
【図９】
0004177444.tif 000010
【図１０】
0004177444.tif 000011
【図１１】
0004177444.tif 000012